(57)【特許請求の範囲】
【請求項１】
モータと、モータのシャフトと、該シャフト前方部に締着される工具装着用アタッチメントより構成される歯科技工用レーズにおいて、
前記モータのシャフト前方部は、その先端に先細り形状のテーパ部と、その後方の外周には雄ねじ部を有し、
また、前記アタッチメントは、円筒体であり、後方円孔部内壁には、雌ねじ部と、その前方には、前記シャフトに該アタッチメントを締結した際に、前記シャフト先端のテーパ部に当接するテーパ状に縮径した円孔部とを有し、
かつ前記雄ねじ部のねじ山は少し落とされてなることを特徴とする歯科技工用レーズ。
【請求項２】
モータと、モータのシャフトと、該シャフト前方部に締着される工具装着用アタッチメントより構成される歯科技工用レーズにおいて、
前記モータのシャフト前方部は、その先端に先細り形状のテーパ部と、その後方の外周には雄ねじ部を有し、
また、前記アタッチメントは、円筒体であり、後方円孔部内壁には、雌ねじ部と、その前方には前記シャフトに該アタッチメントを締結した際に、前記シャフトと先端のテーパ部に当接するテーパ状に縮径する円孔部とを有し、
かつ前記雄ねじ部のねじ山は少し落とされてなり、
また、前記シャフト先端のテーパ部と前記アタッチメントの円孔前方のテーパ部とは、そのテーパ角度を異にするものであることを特徴とする歯科技工用レーズ。
【請求項３】
アタッチメントが、その前方に、外周に先細りのねじ部を備えてなるものであることを特徴とする請求項１又は２項に記載の歯科技工用レーズ。
【請求項４】
アタッチメントが、その前方に、ディスク状の工具取り付け用の定着用具を備えてなるものであることを特徴とする請求項１又は２項に記載の歯科技工用レーズ。
【請求項５】
歯科技工用レーズのモータシャフト前方部と、該シャフト前方部に締着される工具装着用アタッチメントを、モータの左右両端部に備えてなることを特徴とする請求項１〜４のいずれか１項に記載の歯科技工用レーズ。
【発明の詳細な説明】
【０００１】
【発明の属する技術分野】
本発明は研磨工具等装着用アタッチメントの締着が容易で、使用時、研磨用工具等の脱落が生じない歯科技工用レーズに関する。
【０００２】
【従来の技術】
従来、歯科技工用レーズのモータシャフトと研磨工具装着用アタッチメントとは、単にテーパ対テーパによってモータシャフトに研磨工具装着用アタッチメントを締着させていた。
【０００３】
【発明が解決しようとする課題】
しかしながら、上記テーパによる締着のみでは、テーパの狂いあるいはスラスト又はラジアル方向の負荷により、アタッチメントにずれが発生し作業中に外れてしまうことがあった。
【０００４】
【課題を解決するための手段】
上記に鑑み発明者は研究実験の結果、次の手段により、この課題を解決した。
（１）モータと、モータのシャフトと、該シャフト前方部に締着される工具装着用アタッチメントより構成される歯科技工用レーズにおいて、前記モータのシャフト前方部は、その先端に先細り形状のテーパ部と、その後方の外周には雄ねじ部を有し、また、前記アタッチメントは、円筒体であり、後方円孔部内壁には、雌ねじ部と、その前方には、前記シャフトに該アタッチメントを締結した際に、前記シャフト先端のテーパ部に当接する、テーパ状に縮径した円孔部とを有し、かつ前記雄ねじ部のねじ山は少し落とされてなることを特徴とする歯科技工用レーズ。
（２）モータと、モータのシャフトと、該シャフト前方部に締着される工具装着用アタッチメントより構成される歯科技工用レーズにおいて、前記モータのシャフト前方部は、その先端に先細り形状のテーパ部と、その後方の外周には雄ねじ部を有し、また、前記アタッチメントは、円筒体であり、後方円孔部内壁には、雌ねじ部と、その前方には前記シャフトに該アタッチメントを締結した際に、前記シャフトと先端のテーパ部に当接するテーパ状に縮径する円孔部とを有し、かつ前記雄ねじ部のねじ山は少し落とされてなり、また、前記シャフト先端のテーパ部と前記アタッチメントの円孔前方のテーパ部とは、そのテーパ角度を異にするものであることを特徴とする歯科技工用レーズ。
（３）アタッチメントが、その前方に、外周に先細りのねじ部を備えてなるものであることを特徴とする（１）項又は（２）項に記載の歯科技工用レーズ。
（４）アタッチメントが、その前方に、ディスク状の工具取り付け用の定着用具を備えてなるものであることを特徴とする（１）項又は（２）項に記載の歯科技工用レーズ。
（５）歯科技工用レーズのモータシャフト前方部と、該シャフト前方部に締着される工具装着用アタッチメントを、モータの左右両端部に備えてなることを特徴とする（１）項〜（４）項のいずれか１項に記載の歯科技工用レーズ。
【０００５】
【発明の実施の形態】
本発明の実施の形態は、従来のテーパのみによるモータシャフトと研磨工具装着用アタッチメントの締着に加えて、モータシャフトの表面の一部に、ねじ山の１部を落とした雄ねじを設け、また研磨工具装着用アタッチメントの開口円孔部内壁に前記雄ねじに螺着する雌ねじを設けて、上記螺着の際の取り付けを容易にするとともに、アタッチメント締着の際の軸ぶれを防止し、そして前記締着のためのねじの方向は、回転方向に対し締まるようにしてあるため、テーパのみによる場合の嵌合の狂いによるずれや、スラスト又はラジアル方向の負荷の加力によるずれの発生を未然に防止し、アタッチメントが脱落することがない。
【０００６】
【実施例】
以下本発明による実施例を、図面に基づいて説明する。
図１は、本発明の歯科技工用レーズのモータシャフトにアタッチメントを締着し、先端部に研磨用工具を装着したときの実装外観図である。
図において、１は歯科技工用電気レーズ、２はモータ、３はモータシャフトカバー、４は切り込み済シャフト、５はシャフト押さえ用切り込み、６は研磨工具装着用のバフ・ブラシ用テーパ付き（竹の子）（アタッチメント６）、７は研磨工具装着用の砥石用アタッチメント（アタッチメント７）、８はアタッチメント取り外し用孔、９、１０はシャフトの回転方向、１１はバフ、１２は砥石（ディスク）１３は平ワッシャ、１４は肉厚ワッシャ、１５はなべねじ、１７はテーパ表面右ねじ、４４はモータシャフトをそれぞれ示す。
図１に示したように、歯科技工用電気レーズ１のシャフト４４の右・左両端には、バフ・ブラシ用テーパ付きの、アタッチメント（竹の子）６及び砥石用アタッチメント７が締着されており、各々、バフ１１及びディスク１２が装着されている。上記は、シャフト４４の回転に対し逆ねじで締着・装着されているため作業時に脱落しない構造になっている。
【０００７】
次に本発明の、モータシャフトにアタッチメントを締着する構造の詳細について説明する。
図２は、モータシャフトにバフ・ブラシ用テーパ付きアタッチメント（竹の子）を締着する場合の図１の研磨工具を除くＸ−Ｘ方向矢視断面図である。
図において、左側はモータのシャフト４４の細部を示し、
２４はモータシャフト先端のテーパ部、２５は純円柱形部、２６は雄ねじ部、２７はアタッチメントの締着方向、Ｌ1はテーパ部の長さ、Ｌ2は円柱の長さ、Ｌ3は雄ねじの長さ、Ｌ4は基部円柱の長さ、Ｌ5はシャフト切り込み部の長さを示す。
また、図中右側の図はアタッチメント（竹の子）６の詳細を示し、１６はアタッチメントの先端部、１８は先端穿孔部、１９は内孔アタッチメントのテーパ部、２０は基部円筒部、２１は雌ねじ部、２２は円筒部と先端部との接続凹部、２３はアタッチメントの円筒部、Ｌ6は基部円筒部の長さ、Ｌ7は雌ねじの長さ、Ｌ8は円筒部の長さ、Ｌ9はアタッチメントのテーパ部の長さ、Ｌ10は先端穿孔部の長さ、を示す。
【０００８】
図２に示したように、研磨用工具を装着する歯科技工用レーズ１のモータ２の右側の配置は、シャフト４４と、該シャフトに締着するための研磨工具装着用アタッチメント（アタッチメント６）より構成されている。
前記モータシャフト４４の基本的な形状は円柱体をなし、その先端部に、先細りのテーパ部（長さＬ1）２４が設けられ、
そして前記テーパ部２４の始端から、シャフト４４の基部に向けて長さＬ2の純円柱形部２５を有し、さらにその純円柱形部２５の始端から基部方向へ、前記アタッチメントの雌ねじ部（２１）に螺着する（後記）ための雄ねじ部２６が、長さＬ3で螺設され、
かつ前記雄ねじ部２６は、ねじ山の部分が少し（１／２〜１／３の高さ）落とされてなり、
さらに、前記雄ねじ部２６の終端から基部に向けて長さＬ4の純円柱形部２５となり、さらに、その終端から、シャフト４４を器具にて押さえ着脱時に固定するためのシャフト切り込み部４を長さＬ5で備えてなり、
その終端以降のシャフトは、円柱形のシャフト（４４）としてモータの内部に配設されている。
【０００９】
次にアタッチメント６の形状は、
外形は、基部が軸方向に所要長を有する円筒形であり、その円筒形に続いて一体に成型されてなるアタッチメントの先端部１６は、表面に右巻きあるいは左巻きの螺旋ねじが刻まれたテーパ表面右ねじ１７をもつ円錐状であり、また、前記アタッチメントの円筒部２３とアタッチメントの先端部１６との接続凹部２２との接続箇所には、アタッチメント取り外し用の小孔８が貫通されている。
そして、上記アタッチメントの内部の形状は、
前記シャフトの純円柱形部２５に嵌合する内径を有する基部円筒部２０の円筒形であり、かつ、上記基部円筒部（長さＬ6）２０が設けられ、その終端から先端部方向に、前記モータシャフト４４の雄ねじ部２６に螺着する右巻きあるいは左巻きの雌ねじ部２１が、長さＬ7で螺設され、
さらに、前記雌ねじ部２１の終端から先端に向けて、長さＬ8の基部と同じ円筒部が続き、さらに、その先端部に、前記モータシャフト４４の先端部のテーパ部（モータシャフトのテーパ部）２４に嵌合されるための、先細りのテーパ部（内孔のテーパ部、長さＬ9）１９が設けられ、さらにその終端から、前記内孔のテーパ部１９の先端と同径の先端穿孔部（長さＬ10）１８が、設けられてなる。
【００１０】
上記の構成において、前記アタッチメント６を、アタッチメントの締着方向２７に移動させ、シャフト４４に締着させるものとすると、
まず、アタッチメント６の基部は、シャフト４４の先端部に嵌入されるが、このとき、アタッチメント６の雌ねじ部２１の基部に近い部分が、シャフト４４の雄ねじ部２６の先端部に近い部分に接触するので、以降はアタッチメント６を右回りに回転させて螺着させる。この場合、前述したように雄ねじのねじ山は一部落とされているので、螺着は容易に行うことができる。
上記の状態にあるとき、アタッチメント６の内孔のテーパ部１９と、シャフト４４のテーパ部２４のテーパ角度は、若干異なるものとしてあり、
例えば、シャフト４４のテーパ部２４の角度を３５゜、アタッチメント６の内孔のテーパ部１９の角度を４５゜としてあるので、締着時には、前記テーパ部２４の中間部と内孔のテーパ部１９の先端部とが、環状の線接触状態となり、
アタッチメント６の軸線はシャフト４４の軸線と一直線に整合される。
上記のとおり、シャフト４４のテーパ部２４及びアタッチメント６内孔のテーパ部１９とは、環状の線接触が行われるため、シャフト４４とアタッチメント６とは、容易に整合でき軸ぶれを起こさない。
また、前記ねじ山を少し落とした雄ねじ部２６と、雌ねじ部２１との螺着により全体が締着されるため、アタッチメント６の先端部に例えば、バフ１１等を定着して材料の研磨を行った場合、ラジアル方向又はスラスト方向の負荷の加力によるずれの発生を防止することができ、アタッチメント６が脱落することがない。
なお、シャフト４４の回転に対し、上記は各々逆ねじで螺着されているため作業時には締め込まれる方向となっている。
【００１１】
そして研磨等の作業終了後、アタッチメント６を取り外す場合は、前記切り込み済みシャフト４の部分を器具で掴持して固定した後、前記アタッチメント６のアタッチメント取り外し用孔８に棒状の回動器具を挿入して、アタッチメント６をシャフト４４の回転方向に対して逆回転させて、容易に取り外すことができる。
また、バフ１１等の研磨工具をアタッチメント６から取り外す場合は、アタッチメント６を固定して、同様に工具を逆回転させて容易に取り外すことができる。
【００１２】
図３は、歯科技工用レーズの左側に配設されたモータシャフトに研磨砥石（ディスク）用アタッチメントを締着する場合の図１の研磨工具を除くＹ−Ｙ方向矢視断面図である。
図において、２８は基部円筒体、２９は雌ねじ部、３０は円筒部、３１は円筒部の内側、３２は内孔のテーパ部、３３はテーパ先端部の穿孔部、３４は円筒形表面の凹部、３５は先端円筒体、３６は雌ねじ部、３７は円筒形突起体、３８はなべねじ受け口、３９は平ワッシャの孔、４０は肉厚ワッシャの孔、４１はなべねじのねじ部、４２はなべねじの径、４３はアタッチメンとの締着方向、Ｌ11は基部円筒部の長さ、Ｌ12は雌ねじの長さ、Ｌ13は中空円筒の長さ、Ｌ14内孔子のテーパ部の長さ、Ｌ15は穿孔部の長さ、Ｌ16は雌ねじの長さをそれぞれ示す。
【００１３】
図３に示したように、研磨用工具を装着する歯科技工用レーズ１のモータ２の左側の配置は、前記右側と対象のシャフト４４と、該シャフトに締着するための研磨工具装着用の前記砥石用（アタッチメント７）より構成されている。
なお、モータシャフト４４の構造は前記と対象である他は、同じものであるから省略する。
そして、モータシャフト４４に装着する研磨工具（砥石１２）を締着する前記アタッチメント７の形状は、
外形は、基部が軸方向に所要定長を有する基部円筒体２８であり、その円筒体に続いて一体に成型されてなる先端部は、表面に緩やかな凹部３４を有して再び先端円筒体３５になり、
さらにその先端は、研磨工具装着用の平ワッシャの内孔３９に合致した外径を有する円筒形突起体３７を有し、また、前記基部円筒体２８と先端円筒体３５間の凹部にはアタッチメント取り外し用孔８が貫通されている。
【００１４】
そして、上記アタッチメント７の内部の形状は、
前記シャフト４４の純円柱形部２５に嵌合する内径を有する基部円筒部２８の円筒体であり、かつ、上記基部円筒体（長さＬ11）２８が設けられ、その終端から先端部方向に、前記モータシャフト４４の雄ねじ部２６に螺着する右巻きあるいは左巻きの雌ねじ部２９が、長さＬ12螺設され、
さらに、前記雌ねじ部２９の終端から先端に向けて、基部と同じ長さＬ13の中空円筒状が続き、さらに、その先端部に、前記モータシャフト４４の先端部のモータシャフトのテーパ部２４に嵌合されるための、内孔のテーパ部（長さＬ14）３２が設けられ、さらにその終端から、前記内孔のテーパ部３２の先端と同径のテーパ先端部の穿孔部（長さＬ15）３３が設けられてなり、さらにその終端から、研磨工具の締め付け用雄ねじ（なべねじ１５）を螺着させるための雌ねじ部３６が長さＬ16で螺設されてなり、
そして、外部から研磨工具（砥石１２）を装着するための前記平ワッシャ１３と、肉厚のワッシャ１４及び前記工具の締め付け用なべねじ１５とを備えている。
【００１５】
上記の構成において、アタッチメント７を、アタッチメントの締着方向４３に移動させ、シャフト４４に締着させるものとすると、
まず、アタッチメント７の基部は、シャフト４４の先端部に嵌入されるが、このとき、アタッチメント７の雌ねじ部２９の基部に近い部分が、シャフト４４の雄ねじ部２６の先端部に近い部分に接触するので、以降はアタッチメント７を右回りに回転させて螺着させる。この場合、前述したように雄ねじのねじ山は一部落とされているので、螺着は容易に行うことができる。
上記の状態にあるとき、アタッチメント７の内孔のテーパ部３２と、シャフト４４のテーパ部２４のテーパ角度は若干異なるものとしてあり、
例えば、シャフト４４のテーパ部２４の角度を３５゜、アタッチメント７の内孔のテーパ３２の角度を４５゜としてあるので、締着時には、前記シャフトのテーパ部２４の中間部とアタッチメントの内孔のテーパ部３２の先端部とが、環状の線接触状態となり、アタッチメント７の軸線はシャフト４４の軸線と一直線に整合される。
上記のとおり、シャフト４４のテーパ部２４及びアタッチメント７の内孔のテーパ部３２とは環状の線接触で行われるため、シャフト４４とアタッチメントとは、容易に整合でき軸ぶれを起こさない、
また、前記ねじ山の一部を落とした雄ねじ部２６と、雌ねじ部２９との螺着により全体が締着されるため、アタッチメント７の先端部に例えば砥石（ディスク）１２等を装着して材料の研磨を行った場合、ラジアル方向又はスラスト方向の負荷の加力によるずれの発生を防止することができ、アタッチメント７が脱落することがない。
なお、シャフト４４の回転に対し、上記は各々逆ねじで螺着されているため作業時には締め込まれる方向となっている。
【００１６】
そして研磨等の作業終了後、アタッチメント７を取り外す場合は、前記切り込み済みシャフト４の部分を器具で掴持して固定した後、前記アタッチメント７のアタッチメント取り外し用孔８に棒状の回動器具を挿入して、アタッチメント７をシャフト４４の回転方向に対して逆回転させて、容易に取り外すことができる。  また、砥石（ディスク）１２等の研磨工具をアタッチメント７から取り外す場合は、アタッチメント７を固定して、前記なべねじ１５を逆回転させて取り外して、肉厚ワッシャ１４と平ワッシャ１３との間に配設されている（図１）砥石（ディスク）１２を容易に取り外すことができる。
【００１７】
図４は研磨用工具砥石（ディスク）図１の右側面図、
図５は研磨用工具バフ及びブラシの左側面図で
図５の（イ）図は、研磨工具バフ図１の左側面図、（ロ）図は研磨工具ブラシの左側面図を示す。
図において、４５はバフ布、４６はバフ縫い目、４７はバフ締着先端孔、４８はバフ締着孔、４９はブラシ剛毛、５０は植毛板、５１はブラシ締着先端孔、５２はブラシ締着孔、５３：研磨ブラシ、５４は砥石の平板面、５５は砥石締着孔をそれぞれ示す。
上記の事例に示した研磨用各種工具は、前述したように前記アタッチメントに、適用されるのものであり、被研磨材としては、歯科技工におけるレジン又は各種金属補綴物等が対象となる。
【００１８】
また、前記歯科技工用レーズのモータシャフト４４の先端部及び、該シャフト先端部に嵌合される研磨工具装着用アタッチメント（６、７）を、モータの右・左の両端部に備え、前記各種の研磨用工具を選択して装着使用することにより、効率よく作業を進めることができる。
【００１９】
【発明の効果】
本発明によれば下記に記載する優れた効果を発揮することができる。
１、本発明の請求項の１の発明によれば、
本発明の歯科技工用レーズは、モータのシャフトと、該シャフト前方部に締着される工具装着用アタッチメントより構成され、モータのシャフト前方部は、その先端に先細り形状のテーパ部と、その後方の外周に雄ねじ部を有し、また、前記アタッチメントは、円筒体であり、後方円孔部内壁には、雌ねじ部と、その前方には、前記シャフトにアタッチメントを締結した際に、シャフト先端のテーパ部に当接する、テーパ状に縮径した円孔部とを有し、かつ前記雄ねじ部のねじ山は少し落とされてなるため、締着の際の取り付けを容易にするとともに、アタッチメント締着の際の軸ぶれを防止し、嵌合の狂いによるずれや、ラジアル方向又はスラスト方向の負荷の加力によるずれの発生を未然に防止し、アタッチメントが脱落することがない効果がありかつ、工具の着脱は容易に行うことができる。
２、請求項の２の発明によれば、
前記シャフト先端のテーパ部とアタッチメント円孔部前方のテーパ部とは、そのテーパ角度を異にするものであるため、締着時には、シャフトのテーパ部の中間部とアタッチメントのテーパ部の先端部が、環状の線接触状態となり、アタッチメントの軸線はシャフトの軸線と一直線に整合される。
そして前記両者のテーパ部は、環状の線接触で行われるため、シャフトとアタッチメントとは、容易に整合でき軸ぶれを起こさない。
３、請求項の３の発明によれば、
アタッチメントが、円筒体の前方外周に先細りのねじ部を備えたいわゆる、竹の子であり、研磨用工具の各種のブラシあるいはバフ等を装着し、研磨作業を安全確実に行うことができる。
４、請求項の４の発明によれば、
アタッチメントが、前方にディスク状の工具取り付け用の定着用具を備えてなるため、円板状の砥石等を装着し、研磨作業を安全確実に行うことができる。
５、請求項の５の発明によれば、
歯科技工用レーズのモータシャフトに、各種研磨工具用アタッチメントを、モータシャフトの左右の両端部に装着できるため、各種の研磨用工具を選択してアタッチメントに装着使用することにより、研磨作業を安全確実にかつ、効率よく進めることができる。
【図面の簡単な説明】
【図１】本発明の歯科技工用レーズのモータシャフトにアタッチメントを締着し、先端部に研磨用工具を装着したときの実装外観図。
【図２】歯科技工用レーズの右側に配設されたモータシャフトにバフ・ブラシ用テーパ付きアタッチメント（竹の子）を締着する場合の図１の研磨工具を除くＸ−Ｘ方向矢視断面図。
【図３】歯科技工用レーズの左側に配設されたモータシャフトに研磨砥石（ディスク）用アタッチメントを締着する場合の図１の研磨工具を除くＹ−Ｙ方向矢視断面図。
【図４】研磨砥石（ディスク）図１の右側面図。
【図５】研磨工具バフ及びブラシの左側面図。
【符号の説明】
１：歯科技工用電気レーズ              ２：モータ
３：モータシャフトカバー              ４：切り込み済シャフト
５：シャフト押さえ用切り込み
６：アタッチメント（竹の子）
７：アタッチメント（砥石用）          ８：アタッチメント取り外し用孔
９、１０：シャフトの回転方向          １１：バフ
１２：砥石（ディスク）                １３：平ワッシャ
１４：肉厚ワッシャ                    １５：なべねじ
１６：アタッチメントの先端部          １７：テーパ表面右ねじ
１８：先端穿孔部                      １９；内孔のテーパ部
２０：基部円筒部                      ２１：雌ねじ部
２２：円筒部と先端部との接続凹部      ２３：アタッチメントの円筒部
２４：モータシャフトのテーパ部        ２５：純円筒形部
２６：雄ねじ部                        ２７：アタッチメントの締着方向
２８：基部円筒体                      ２９：雌ねじ部
３０：円筒部                          ３１：円筒部の内側
３２：内孔のテーパ部                  ３３：テーパ先端部の穿孔部
３４：円筒形表面の凹部                ３５：先端円筒体
３６：雌ねじ部                        ３７：円筒形突起体
３８：なべねじ受け口                  ３９：平ワッシャの孔
４０：肉厚ワッシャの孔                ４１：なべねじのねじ部
４２：なべねじの径                    ４３：アタッチメントの締着方向
４４：モータのシャフト                ４５：バフ布
４６：バフ縫い目                      ４７：バフ締着先端孔
４８：バフ締着孔                      ４９：ブラシ剛毛
５０：植毛板                          ５１：ブラシ締着先端孔
５２：ブラシ締着孔                    ５３：研磨ブラシ
５４：砥石の平板面                    ５５：砥石の締着孔
Ｌ1：テーパ部の長さ                    Ｌ2：円柱の長さ
Ｌ3：雄ねじの長さ                      Ｌ4：基部円柱の長さ
Ｌ5：シャフト切り込み部の長さ          Ｌ6：基部円筒部の長さ
Ｌ7：雌ねじの長さ                      Ｌ8：円筒部の長さ
Ｌ9：内孔のテーパ部の長さ
Ｌ10：先端穿孔部の長さ                Ｌ11：円筒形の基部端よりの長さ
Ｌ12：雌ねじの長さ                    Ｌ13：中空円筒の長さ
Ｌ14：内孔のテーパ部の長さ            Ｌ15：穿孔部の長さ
Ｌ16：雌ねじの長さ
【図１】
0004072657.tif 000002
【図２】
0004072657.tif 000003
【図３】
0004072657.tif 000004
【図４】
0004072657.tif 000005
【図５】
0004072657.tif 000006